(57)【要約】【課題】複数のリモコンのアドレス情報、及び各リモコンと床暖房パネルとの対応情報を集中管理し、設定情報を全リモコンへ同報送信できる床暖房装置を得ること。【解決手段】熱交換ユニット１は、リモコン３から受信したアドレス及び床暖房パネル４の識別番号に基づいて更新したアドレス情報及び組み合わせ情報をリモコン３に同報送信する熱交換ユニット制御部５を有し、リモコン３の各々は、熱交換ユニット１から受信したアドレス情報及び組み合わせ情報に基づいて、自コントローラに設定可能なアドレス及び他のコントローラに対応付けられていない床暖房パネル４の識別番号のみを指定可能な状態で表示部１２に表示させ、指定されたアドレス及び識別番号を管理装置へ送信するリモコン制御部１１を有する。【選択図】図１
2011220550.tif 000002
【特許請求の範囲】
【請求項１】
複数のリモートコントローラと、複数の床暖房パネルと、前記リモートコントローラの各々に設定されるリモコン識別子及び前記床暖房パネルの各々に予め設定されているパネル識別子に基づいて前記リモートコントローラ及び前記床暖房パネルを特定して、前記リモートコントローラからの要求に応じた前記床暖房パネルを駆動する管理装置とを有する床暖房装置であって、
前記管理装置は、
前記複数のリモートコントローラのいずれにも設定されていない前記リモコン識別子を示す識別子情報、及び前記パネル識別子と前記リモコン識別子との対応付けを示す組み合わせ情報を格納する格納手段と、
前記リモートコントローラから受信したリモコン識別子及びパネル識別子に基づいて、前記格納手段に格納されている前記識別子情報及び組み合わせ情報を更新する手段と、
前記識別子情報及び組み合わせ情報を、全ての前記リモートコントローラに同報送信する手段とを有し、
前記リモートコントローラの各々は、
前記管理装置から受信した識別子情報及び組み合わせ情報に基づいて、自リモートコントローラに設定可能なリモコン識別子及び他のリモートコントローラに対応付けられていない床暖房パネルのパネル識別子のみを指定可能な状態で表示する手段と、
自リモートコントローラにおいて指定された前記リモコン識別子及び前記パネル識別子を前記管理装置へ送信する手段とを有することを特徴とする床暖房装置。
【請求項２】
複数のリモートコントローラと、複数の床暖房パネルと、前記リモートコントローラの各々に設定されるリモコン識別子及び前記床暖房パネルの各々に予め設定されているパネル識別子に基づいて、前記リモートコントローラ及び前記床暖房パネルを特定して、前記リモートコントローラからの要求に応じた床暖房パネルを駆動する管理装置とを有する床暖房装置であって、
前記管理装置は、
前記複数のリモートコントローラのいずれにも設定されていない前記リモコン識別子を示す識別子情報、及び前記パネル識別子と前記リモコン識別子との対応付けを示す組み合わせ情報を格納する格納手段と、
前記リモートコントローラから受信したリモコン識別子及びパネル識別子に基づいて、前記格納手段に格納されている識別子情報及び組み合わせ情報を更新する手段と、
前記識別子情報及び組み合わせ情報を、全ての前記リモートコントローラに同報送信する手段とを有し、
前記リモートコントローラの各々は、
前記管理装置から受信した前記識別子情報に基づいて、いずれのリモートコントローラにも設定されていないリモコン識別子を自リモートコントローラに設定する手段と、
前記管理装置から受信した前記組み合わせ情報に基づいて、他のリモートコントローラに対応付けられていないパネル識別子のみを指定可能な状態で表示する手段と、
指定された前記パネル識別子及び自リモートコントローラに設定したリモコン識別子を前記管理装置へ送信する手段とを有することを特徴とする床暖房装置。
【請求項３】
前記管理装置は、前記リモートコントローラのいずれかから設定動作の終了コマンドが入力された時点で、前記リモートコントローラに対応付けられていない床暖房パネルがある場合に、前記複数のリモートコントローラの各々に警告表示をさせる手段を有することを特徴とする請求項１又は２記載の床暖房装置。
【請求項４】
前記床暖房パネルの各々は、スピーカを備え、
前記リモートコントローラの各々は、他のリモートコントローラに対応付けられていない床暖房パネルの識別情報のうち、前記識別情報を指定する操作中に選択された前記パネル識別子を前記管理装置へ通知する手段とを有し、
前記管理装置は、前記パネル識別子を指定する操作中に選択されたことを前記リモートコントローラから通知されたパネル識別子に応じた床暖房パネルのスピーカを駆動する手段を有することを特徴とする請求項１から３のいずれか１項記載の床暖房装置。
【発明の詳細な説明】
【技術分野】
【０００１】
本発明は、床暖房装置に関する。
【背景技術】
【０００２】
近年、多機能化した床暖房装置は、温度管理やタイマー等の機能だけではなく、複数のリモコン（リモートコントローラ）及び複数の床暖房パネルを同時に制御する機能を備えているものもある。これにより、床暖房装置一つで複数の部屋や広い部屋を暖房することが可能となっている。複数のリモコン及び複数の床暖房パネルを同時に制御する床暖房装置では、リモコン一つに対して床暖房パネルが複数連動する場合もあり、リモコンと床暖房パネルとの関連付けは重要な設定内容の一つである。
【０００３】
床暖房装置の動作には、適切に運転するためにリモコンと床暖房パネルとの関連付けを行う初期設定が必要である。通常、初期設定は、床暖房装置の設置業者が行うが、初期設定に誤りがあると、床暖房装置がユーザの意図しない動作をしたり、非効率な運転を行ったりする。初期設定の誤りを防止する方法として、特許文献１に記載の発明がある。
【先行技術文献】
【特許文献】
【０００４】
【特許文献１】特開２００４−１３２５８２号公報
【発明の概要】
【発明が解決しようとする課題】
【０００５】
特許文献１に記載の発明は、複数のリモコンと複数の床暖房パネルとを有する床暖房装置において、リモコンを設定する際に、リモコンと床暖房パネルとの組み合わせが重複した場合、リモコンの表示部に警告表示を行い、誤った設定が行われないようにするものである。
【０００６】
しかしながら、特許文献１に記載の発明は、初期設定は人手による入力操作に応じて行われるため、ヒューマンエラーに起因する入力ミスや設定間違いの発生を避けることはできず、そのたびに再設定する必要がある。また、設定が重複するまでは警告がなされないため、設定作業終了間際に間違いが発覚した場合、多くの修正作業が必要になる可能性もある。さらに、事前に各リモコンの設定値を正確に定めておく必要があり、多数のリモコンを使用する場合では、設定が煩雑である。
【０００７】
本発明は、上記に鑑みてなされたものであって、複数のリモコン及び複数の床暖房パネルを備え、各リモコンのアドレス情報、各リモコンと床暖房パネルとの対応情報を集中管理し、設定の情報を全リモコンへ同報送信できる床暖房装置を得ることを目的とする。
【課題を解決するための手段】
【０００８】
上述した課題を解決し、目的を達成するために、本発明は、複数のリモートコントローラと、複数の床暖房パネルと、リモートコントローラの各々に設定されるリモコン識別子及び床暖房パネルの各々に予め設定されているパネル識別子に基づいてリモートコントローラ及び床暖房パネルを特定して、リモートコントローラからの要求に応じた床暖房パネルを駆動する管理装置とを有する床暖房装置であって、管理装置は、複数のリモートコントローラのいずれにも設定されていないリモコン識別子を示す識別子情報、及びパネル識別子とリモコン識別子との対応付けを示す組み合わせ情報を格納する格納手段と、リモートコントローラから受信したリモコン識別子及びパネル識別子に基づいて、格納手段に格納されている識別子情報及び組み合わせ情報を更新する手段と、識別子情報及び組み合わせ情報を、全てのリモートコントローラに同報送信する手段とを有し、リモートコントローラの各々は、管理装置から受信した識別子情報及び組み合わせ情報に基づいて、自リモートコントローラに設定可能なリモコン識別子及び他のリモートコントローラに対応付けられていない床暖房パネルのパネル識別子のみを指定可能な状態で表示する手段と、自リモートコントローラにおいて指定されたリモコン識別子及びパネル識別子を管理装置へ送信する手段とを有することを特徴とする。
【発明の効果】
【０００９】
本発明によれば、複数のリモコンのアドレス情報、及び各リモコンと床暖房パネルとの対応情報を集中管理し、誤設定によるユーザの意図しない動作を防止できるという効果を奏する。
【図面の簡単な説明】
【００１０】
【図１】図１は、本発明の実施の形態１にかかる床暖房装置の構成を示す図である。
【図２】図２は、実施の形態１にかかる床暖房装置の設定動作の流れを示す図である。
【図３】図３は、アドレスを設定する際にリモコンの表示部において表示されるアドレス設定画面の表示例を示す図である。
【図４】図４は、リモコンへの床暖房パネルの割り当てを設定する場合にリモコンの表示部において表示される床暖房パネル設定画面の表示例を示す図である。
【図５】図５は、本発明の実施の形態２にかかる床暖房装置の動作の流れを示すフローチャートである。
【図６】図６は、本発明の実施の形態３にかかる床暖房装置の動作の流れを示すフローチャートである。
【図７】図７は、本発明の実施の形態４にかかる床暖房装置の構成を示す図である。
【発明を実施するための形態】
【００１１】
以下に、本発明にかかる床暖房装置の実施の形態を図面に基づいて詳細に説明する。なお、この実施の形態によりこの発明が限定されるものではない。
【００１２】
実施の形態１．
図１は、本発明の実施の形態１にかかる床暖房装置の構成を示す図である。本実施の形態にかかる床暖房装置は、熱交換ユニット１、室外ユニット２、リモコン３（リモコン３ａ、３ｂ、・・・、３ｎ）、床暖房パネル４（床暖房パネル４ａ、４ｂ、・・・、４ｎ）を備える。熱交換ユニット１は、室外ユニット２、リモコン３、及び床暖房パネル４と接続されている。
【００１３】
床暖房パネル４は、部屋の広さなどに合わせて、一つの部屋に複数のパネルが設置される場合があり、一つのリモコン３で複数の床暖房パネル４を制御する場合がある。例えば、リモコン３ａには、床暖房パネル４ａ、４ｂを、リモコン３ｂには床暖房パネル４ｃを、リモコン３ｃには床暖房パネル４ｄ、４ｅ、４ｆを割り当てるような組み合わせが可能である。
【００１４】
熱交換ユニット１とリモコン３との間は、通信ケーブルで接続されており、熱交換ユニット１内の設定データやリモコン３の操作内容を送受信可能である。熱交換ユニット１と室外ユニット２とは、冷媒を通すためのパイプで接続されており、室外ユニット２によって暖められた冷媒を熱交換ユニット１へ循環させることが可能である。熱交換ユニット１と床暖房パネル４とは、循環液を通すためのパイプで接続されており、熱交換ユニット１内で暖めた温水を床暖房パネル４へ循環させることが可能である。
【００１５】
熱交換ユニット１は、アドレス情報（どのリモコン３にも割り当てられていないリモコン識別子（アドレス）を示す情報）及び組み合わせ情報（アドレスと床暖房パネル４の識別子（パネル識別子：ここでは識別番号とする。）との組み合わせを示す情報）を記憶する記憶部６と、リモコン３との通信を行う通信部７と、室外機２から送られてくる冷媒の熱を床暖房パネル４へと送る循環液に伝える熱交換器８と、床暖房パネル４に送る循環液を循環させる循環ポンプ９と、各床暖房パネル４への循環液の流れを制御する熱動弁１０と、熱交換ユニット１の各部を制御する制御部５とを備える。制御部５は、リモコン３に設定されるアドレス及び床暖房パネル４の各々に予め設定されている識別番号に基づいてリモコン３及び床暖房パネル４を特定して、リモコン３からの要求に応じた床暖房パネル４を駆動する。
【００１６】
リモコン３は、運転状態などの情報を表示する表示部１２、動作モードの切り替えや設定温度の変更などの入力操作を受け付ける操作部１３、熱交換ユニット１との通信を行う通信部１４と、リモコン３の各部を制御するリモコン制御部１１とを有する。
【００１７】
リモコン３に対するアドレスの設定及びリモコン３に対する床暖房パネル４の割り当てが完了している床暖房装置の動作を説明する。実際には、複数のリモコン３と複数の床暖房パネル４とが接続され、設置場所に合わせた設定がなされるが、仮にリモコン３ａにはアドレス１番が設定され、床暖房パネル４ａ、４ｂが割り当てられているとする。リモコン３ａの操作部１３をユーザが操作し床暖房装置を稼働させると、操作部１３の信号を受け取ったリモコン制御部１１は、運転中を知らせる表示を表示部１２において行い、通信部１４から熱交換ユニット１に運転開始の信号を送信する。熱交換ユニット１が運転開始の信号をリモコン３ａから通信部７を介して受信すると、制御部５は、記憶部６に記憶したアドレス情報及び組み合わせ情報を読み取り、読み取った情報に基づいて、リモコン３ａに割り当てられている床暖房パネル４ａ、４ｂと接続されている熱動弁１０を制御し、循環液を循環させる。制御部５が循環ポンプ９と熱動弁１０とを制御することで、床暖房パネル４ａ、４ｂの各々の温度を調整可能である。
【００１８】
床暖房装置の適切な動作のためには、リモコン３に正しいアドレスを設定し、さらにアドレスと床暖房パネル４の識別番号との正しい組み合わせでの組み合わせ情報を記憶部６に記憶させる必要がある。アドレスが設定されていない場合（アドレス情報が無い場合）、制御部５はリモコン３がどの床暖房パネル４を操作しようとしているのか、また、どの床暖房パネル４の情報をどのリモコン３に送信すればよいのかが判断できなくなる。一方、アドレスと床暖房パネル４の識別番号との組み合わせが誤っていた場合は、操作したリモコン３とは別の場所に設置された床暖房パネル４が動作したり、制御の重複によって別の場所から操作されたりして、ユーザの意図しない動作となる。
【００１９】
図２は、本実施の形態にかかる床暖房装置の設定動作の流れを示す図である。設置作業者がリモコン３によって設定開始の操作を行うと、リモコン制御部１１は設定開始の信号を、通信部１４を介して熱交換ユニット１へ送信する。熱交換ユニット１が通信部７を介して設定開始の信号を受け取ると、制御部５は、記憶部６に記憶させているアドレス情報及び組み合わせ情報を同報送信にて通信部７を介して全リモコン３へ送信する（ステップＳ２０）。このとき、アドレス情報及び組み合わせ情報は同報送信されるため、アドレスが未設定のリモコン３であっても送信された情報を受け取ることができる。なお、熱交換ユニット１が初回起動時であれば、アドレス情報は全てのアドレスが未使用であることを示し、組み合わせ情報はどの床暖房パネル４もリモコン３に割り当てられていないことを示す。
【００２０】
同報送信にて熱交換ユニット１から送信されたアドレス情報及び組み合わせ情報を、アドレスが未設定のリモコン３が通信部１４を介して受け取ると、リモコン制御部１１は、未使用のアドレスと床暖房パネル４の識別番号のみを設定可能な状態として表示部１２に表示する（ステップＳ２１）。作業者は、リモコン３に設定するアドレス及びリモコン３に割り当てる暖房パネル４を操作部１３によって設定する（ステップＳ２２）。また、リモコン３の設定動作を完了するか否かを示す設定完了信号について有効又は無効を設定する。
【００２１】
図３は、アドレスを設定する際にリモコン３の表示部１２において表示されるアドレス設定画面の表示例を示す図である。ここでは、アドレスの“２”と“３”とが既に使用されており、“１”を選択している状態のアドレス設定画面を例として示している。既に使用されているアドレスの部分は“−”と表示され、選択しているアドレスは反転表示されている。“−”と表示されているアドレス（既に使用されているアドレス）は設定不可であり、ここでは１、４、５、６のいずれかのみが設定可能である。
【００２２】
図４は、リモコン３への床暖房パネル４の割り当てを設定する場合にリモコン３の表示部１２において表示される床暖房パネル設定画面の表示例を示す図である。床暖房パネルの識別番号及び割り当て状態の二つが併記されており、上段の数字は床暖房パネル４の識別番号を示している。下段の割り当て状態は、その床暖房パネル設定画面を表示中のリモコン３に割り当てるか否か、又は既に他のリモコン３に割り当てられているかを示している。図４においては、割り当て状態の“○”は、床暖房パネル設定画面を表示中のリモコン３に割り当てることを表している。また、割り当て状態の“−”は床暖房パネル設定画面を表示中のリモコン３に割り当てないことを表している。また、割り当て状態の空白は、床暖房パネルが既に他のリモコン３に割り当てられていることを表している。割り当て状態が空白となっている床暖房パネルは選択できないため、割り当て状態が“○”又は“−”である床暖房パネル４のみが割り当て可能である。選択している床暖房パネルの割り当て状態は、反転表示されている。選択中に操作部１３で入力操作を行うことにより、選択中の床暖房パネルを割り当てるか否かの変更が可能である。
【００２３】
図４では、識別番号が“２”と“３”の床暖房パネル４が既に他のリモコンに割り当てられており、識別番号が“１”及び“４”の床暖房パネル４を使用する設定とし、識別番号が“４”の床暖房パネル４を選択している状態の床暖房パネル設定画面を例として示している。床暖房パネル設定画面を表示中のリモコン３には、割り当て状態が“○”又は“−”である、識別番号１、４、５、６の床暖房パネル４のみが割り当て可能である。
【００２４】
なお、図示した表示方法はあくまでも一例であり、設定可能な床暖房パネル４の識別番号のみを表示したり、グレーアウトするなどしてもよい。また、選択中の表示についても、反転表示に限らず、□や○で囲んだり、アンダーバーを表示したり、矢印で指し示すなどしても良い。
【００２５】
設定操作が完了したら、リモコン制御部１１は設定内容（設定するアドレス及び割り当てる床暖房パネルの識別番号）を示す情報及び設定完了信号を通信部１４によって熱交換ユニット１へ送信する（ステップＳ２３）。制御部５は、記憶部６に記憶しているアドレス情報及び組み合わせ情報を、通信部７を介して受信した情報に基づいて更新し、更新後のアドレス情報及び組み合わせ情報を同報送信として通信部７を介して全リモコン３へ送信する（ステップＳ２４）。そして、設定完了信号が有効・無効のいずれであるかを判定する（ステップＳ２５）。設定完了信号が無効であれば（ステップＳ２５／無効）、制御部５は未設定のリモコン３があると判断し、設定処理を継続する。リモコン制御部１１は、ステップＳ２４において受け取ったアドレス情報及び組み合わせ情報に従って、設定可能なアドレスや割り当て可能な床暖房パネル４の識別番号を表示部１２に表示させる（ステップＳ２１）。既に設定が完了しているリモコン３では、リモコン制御部１１は、未使用アドレスや割り当て可能な床暖房パネル４の識別番号ともに設定内容（自装置のアドレス及び割り当てられている床暖房パネル４の識別番号）を表示部１２において表示し、入力部１３を介して設定可能な状態とする。これにより、設定の変更を容易に行える。この時点で、リモコン３の設定が間違っていた場合（誤ったアドレスが設定されている場合や誤った床暖房パネル４が割り当てられている場合）の確認も可能であるため、設定ミスを早急に発見可能となる。
【００２６】
順次設定を行い、最後のリモコン３で設定完了信号を有効とした上で通信部１４を介して熱交換ユニット１へ送信すると（ステップＳ２３）、リモコン３は通信部７によって設定完了信号を受信し（ステップＳ２４）、制御部５は設定が全て完了したと判断して（ステップＳ２５／有効）、設定処理を完了する。
【００２７】
以上の処理を行うことで、既に使用されているアドレスや床暖房パネルの識別番号を誤って使用した設定をすることなく、アドレス情報及び組み合わせ情報が記憶部６に保存され、設定された内容に従って床暖房装置は動作する。よって、設置作業時に誤った設定を行い、再設定を実施する可能性が低くなるため、再設定作業に伴う設置作業者の労力を軽減できる。換言すると、既に使用されているアドレスや他のリモコンに割り当てられた床暖房パネルに別のリモコンでは設定できないため、設定間違いを事前に防ぐことができ、設置作業者の負担を軽減できる。
【００２８】
実施の形態２．
本発明の実施の形態２にかかる床暖房装置の構成は、実施の形態１と同様である。図５は、本発明の実施の形態２にかかる床暖房装置の動作の流れを示すフローチャートである。実施の形態１においては、アドレス情報及び組み合わせ情報を熱交換ユニット１からの同報送信によって受け取ったリモコン３は、使用可能なアドレスと割り当て可能な床暖房パネル４の識別番号とを表示していた。しかし、リモコン３のアドレスと床暖房パネル４の識別番号との組み合わせが正しければ、アドレスを手動で設定する必要はないため、本実施の形態では自動でアドレスの設定を行う。
【００２９】
熱交換ユニット１は、アドレス情報及び組み合わせ情報を同報送信で全てのリモコン３へ送信する（ステップＳ５０）。熱交換ユニット１によって同報送信されたアドレス情報及び組み合わせ情報を受け取ったリモコン３のリモコン制御部１１は、使用可能なアドレスの中から自動でアドレスを選択して、選択したアドレスを自装置に設定する（ステップＳ５１）。例えば、アドレスが番号で表されるならば、使用可能なアドレスのうち、最も小さい番号のものを選択して設定する。リモコン制御部１１がアドレスを自動的に選択して設定することにより、アドレスの表示は不要となるため、リモコン制御部１１は、割り当て可能な床暖房パネルの識別番号のみを表示部１２に表示する（ステップＳ５２）。作業者は、割り当てる床暖房パネル４の識別番号を表示部１２に表示されている未割り当ての床暖房パネル４の識別番号の中から操作部１３を用いて決定する（ステップＳ５３）。リモコン制御部１１は、割り当てる床暖房パネル４の識別番号や設定完了信号とともに、ステップＳ５１で設定したアドレスを通信部１４を介して制御部５へ送信する（ステップＳ５４）。熱交換ユニット１からのアドレス情報及び組み合わせ情報の同報送信（ステップＳ５５）や設定完了信号の判定（ステップＳ５６）に関しては、実施の形態１と同様であるため、説明は省略する。
【００３０】
上記の処理により、設置作業者自身がアドレスを定める必要がなく、リモコンに割り当てる床暖房パネルのみを事前に定めておけばよいため、設定作業に伴う設置作業者の労力をさらに軽減できる。特に、床暖房パネルの数が多い場合には、一つのアドレスを複数のリモコンに重複して設定してしまうというヒューマンエラーを防止できる。
【００３１】
実施の形態３.
本発明の実施の形態３にかかる床暖房装置の構成は、実施の形態１と同様である。図６は、本発明の実施の形態３にかかる床暖房装置の動作の流れを示すフローチャートである。実施の形態１においては、リモコン３のいずれかにおいて設定完了信号を有効とした場合には、全てのリモコン３での設定が完了したと判断し、設定作業を完了していた。この場合には、設定完了信号が有効であったならば、リモコン３に割り当てられていない床暖房パネル４があったとしても設定動作を終了してしまうため、動作しない床暖房パネル４が存在してユーザの意図した動作とならない可能性がある。
【００３２】
本実施の形態においては、リモコン３に割り当てられていない床暖房パネル４が残っている場合には、警告を表示し、設定動作を継続する。
【００３３】
ステップＳ６１からＳ６４の動作は、実施の形態１のステップＳ２１〜Ｓ２４と同様である。制御部５が設定完了信号の判定を行った際に設定完了信号が有効となっている場合（ステップＳ６５／有効）、制御部５は未使用の床暖房パネル４（どのリモコン３にも割り当てられていない床暖房パネル４）があるか否かを確認する（ステップＳ６６）。未使用の床暖房パネル４が無ければ（ステップＳ６６／無）、設定作業を終了する。一方、未使用の床暖房パネル４がある場合は（ステップＳ６６／有）、制御部５は、未使用の床暖房パネル４が存在することを通信部７を介してリモコン３へ通知する（ステップＳ６７）。床暖房ユニット１からの通知を通信部１４を介してリモコン３が受け取ると、リモコン制御部１１は、ステップＳ６４において受け取ったアドレス情報及び組み合わせ情報に従って、設定可能なアドレスや割り当て可能な床暖房パネル４の識別番号を表示部１２に表示させつつ、未使用の床暖房パネル４が存在することを警告し、作業者に通知する（ステップＳ６８）。
【００３４】
本実施の形態においては、リモコンに割り当てられていない床暖房パネルがあるにもかかわらず設定を完了しようとした場合には、リモコンにおいて警告表示がされるため、床暖房パネルをリモコンへ割り当て忘れることを防止できる。
【００３５】
実施の形態４．
図７は、本発明の実施の形態４にかかる床暖房装置の構成を示す図である。実施の形態１とほぼ同様の構成であるが、床暖房パネル４の各々がスピーカ７０を備える点で相違する。
【００３６】
実施の形態１の構成では、床暖房パネル４の割り当て時には、床暖房パネル４の識別番号を事前に調査しておく必要がある。すなわち、設置作業者は、どの場所に設置されている床暖房パネル４にどの識別番号が割り当てられているかを認識していなければ、アドレスの設定やリモコン３への床暖房パネル４の割り当てを正しく行えない。これに対し、本実施の形態の構成では、各床暖房パネル４がスピーカ７０を備え、床暖房パネル４の選択時にスピーカ７０から音を発することで、選択中の床暖房パネル４がどれであるかをその場で判断できる。したがって、設置作業者は、どの場所に設置されている床暖房パネル４にどの識別番号が割り当てられているかを事前に認識しておく必要はない。
【００３７】
本実施の形態にかかる床暖房装置は、どの場所に設置されている床暖房パネルにどの識別番号が割り当てられているかを事前に調査する必要がなく、設定作業時に確認しながらアドレスの設定やリモコンへの床暖房パネルの割り当てができるため、確実で容易に設定作業を行うことができ、設置作業者の労力をさらに軽減できる。
【産業上の利用可能性】
【００３８】
以上のように、本発明にかかる床暖房装置は、誤設定によるユーザの意図しない動作を防止できる設定方法として有用であり、特に、多数のリモコン及び床暖房パネルを持つ床暖房装置に適している。
【符号の説明】
【００３９】
１  熱交換ユニット
２  室外ユニット
３  リモコン
４  床暖房パネル
５  制御部
６  記憶部
７、１４  通信部
８  熱交換器
９  循環ポンプ
１０  熱動弁
１１  リモコン制御部
１２  表示部
１３  操作部
７０  スピーカ
【図１】
2011220550.tif 000003
【図２】
2011220550.tif 000004
【図３】
2011220550.tif 000005
【図４】
2011220550.tif 000006
【図５】
2011220550.tif 000007
【図６】
2011220550.tif 000008
【図７】
2011220550.tif 000009